(57)【要約】【課題】  複数個のチャンネルの状態測定方法及びその装置、遊休チャンネルの選択方法及びその装置を提供する。【解決手段】  本発明は複数個のチャンネル等の状態を測定する方法に関し、本発明は複数個のチャンネル等の状態測定に利用になるテスト信号の送受信に必要な情報のテスト信号情報を第２デバイスに伝送して、第２デバイスからテスト信号情報を受信したことを表す情報受信応答を受信して、情報受信応答が受信されれば、テスト信号情報に基づいてテスト信号を複数個のチャンネルを通じて第２デバイスに伝送した後、第２デバイスからテスト信号を利用して測定になった複数個のチャンネル等の状態情報を受信する。【選択図】      図３
2008295030.tif 000002
【特許請求の範囲】
【請求項１】
第１デバイスが第２デバイスとの通信に使われる複数個のチャンネル状態を測定する方法において、
前記複数個のチャンネル状態の測定に利用されるテスト信号の送受信に必要な情報であるテスト信号情報を第２デバイスに伝送するステップと、
前記第２デバイスから前記テスト信号情報を受信したことを表す情報受信応答を受信するステップと、
前記情報受信応答が受信されれば、前記テスト信号情報に基づいて、前記テスト信号を前記複数個のチャンネルを通じて前記第２デバイスに伝送するステップと、
前記第２デバイスから前記テスト信号を利用して測定された前記複数個のチャンネル状態情報を受信するステップと、を含むことを特徴とする測定方法。
【請求項２】
全体チャンネル中で遊休チャンネルを検索するステップをさらに含み、
前記複数個のチャンネルは、前記検索された遊休チャンネルであることを特徴とする請求項１に記載の測定方法。
【請求項３】
前記複数個のチャンネルに対する状態測定の開始を命令するチャンネル状態測定開始命令を前記第２デバイスに伝送するステップと、
前記チャンネル状態測定開始命令を受信したことを表す開始命令受信応答を受信するステップと、をさらに含み、
前記テスト信号情報を第２デバイスに伝送するステップは、前記開始命令受信応答が受信された場合に限って、前記テスト信号情報を伝送することを特徴とする請求項１に記載の測定方法。
【請求項４】
前記テスト信号情報は、
所定のチャンネルで前記テスト信号を伝送した後、他のチャンネルで再び前記テスト信号を伝送するまでかかる時間であるテスト信号伝送周期、前記テスト信号を最初に伝送するのに利用されるチャンネルである開始チャンネル番号及び前記テスト信号を最後に伝送するのに利用されるチャンネルである終了チャンネル番号を含むことを特徴とする請求項１に記載の測定方法。
【請求項５】
前記複数個のチャンネル状態情報は、
前記複数個のチャンネルのそれぞれを通じて受信されたテスト信号での信号対ノイズ比を計算することによって生成されることを特徴とする請求項１に記載の測定方法。
【請求項６】
前記複数個のチャンネル状態情報は、
前記複数個のチャンネルのそれぞれの通信品質を数値的に表現し、前記数値的に表現されたそれぞれの通信品質に対する値を正規化した値を含むことを特徴とする請求項１に記載の測定方法。
【請求項７】
第１デバイスが複数個の第２デバイスとの通信に使用する遊休チャンネルを選択する方法において、
前記第１デバイスと前記第２デバイスとの間の距離情報、前記第２デバイスの前記遊休チャンネルに対する選好度情報及び前記第２デバイスが提供するアプリケーション情報のうち少なくとも一つに基づいて、前記複数個の遊休チャンネルのそれぞれに対する優先順位を設定するステップと、
前記設定された優先順位に基づいて、前記複数個の遊休チャンネルの中で前記第２デバイスらとの通信に使用する遊休チャンネルを選択するステップと、を含むことを特徴とするチャンネル選択方法。
【請求項８】
前記優先順位を設定するステップは、
前記第１デバイスと前記第２デバイスとの距離情報、前記第２デバイスの前記遊休チャンネルについての選好度情報及び前記第２デバイスが提供するアプリケーション情報のち少なくとも一つについての情報が保存されたデータベースに基づいて、前記優先順位を設定することを特徴とする請求項７に記載のチャンネル選択方法。
【請求項９】
前記優先順位を設定するステップは、
前記複数個の第２デバイスのうち、重要度の高いアプリケーションを提供する第２デバイスの選好度の高い遊休チャンネルの優先順位を高く設定することを特徴とする請求項７に記載のチャンネル選択方法。
【請求項１０】
前記優先順位を設定するステップは、
前記複数個の第２デバイスのうち、前記第１デバイスから遠い距離に位置する第２デバイスの選好度の高い遊休チャンネルの優先順位を高く設定することを特徴とする請求項７に記載のチャンネル選択方法。
【請求項１１】
前記第２デバイスの前記遊休チャンネルについての選好度情報は、
前記第２デバイスが前記複数個の遊休チャンネルのそれぞれに対して測定した通信品質によって生成された、前記複数個の遊休チャンネルに対する優先順位に基づいて生成された情報であることを特徴とする請求項７に記載のチャンネル選択方法。
【請求項１２】
第１デバイスの第２デバイスとの通信に使われる複数個のチャンネル状態を測定する装置において、
前記複数個のチャンネルの状態測定に利用されるテスト信号の送受信に必要な情報であるテスト信号情報を第２デバイスに伝送する伝送部と、
前記第２デバイスから前記テスト信号情報を受信したことを表す情報受信応答を受信する受信部と、を備え、
前記伝送部は、前記情報受信応答が受信されれば、前記テスト信号情報に基づいて、前記テスト信号を前記複数個のチャンネルを通じて前記第２デバイスに伝送し、
前記受信部は、前記第２デバイスから前記テスト信号を利用して測定された前記複数個のチャンネルの状態情報を受信することを特徴とする測定装置。
【請求項１３】
全体チャンネル中で遊休チャンネルを検索する遊休チャンネル検索部をさらに備え、
前記複数個のチャンネルは、前記遊休チャンネル検索部によって検索された遊休チャンネルであることを特徴とする請求項１２に記載の測定装置。
【請求項１４】
前記伝送部は、前記複数個のチャンネルに対する状態測定の開始を命令するチャンネル状態測定開始命令を前記第２デバイスに伝送し、
前記受信部は、チャンネル状態測定開始命令を受信したことを表す開始命令受信応答を受信し、
前記伝送部は、前記開始命令受信応答が受信された場合に限って、前記テスト信号情報を伝送することを特徴とする請求項１２に記載の測定装置。
【請求項１５】
前記テスト信号情報は、
所定のチャンネルで前記テスト信号を伝送した後、他のチャンネルで再び前記テスト信号を伝送するまでかかる時間であるテスト信号伝送周期、前記テスト信号を最初に伝送するのに利用されるチャンネルである開始チャンネル番号及び前記テスト信号を最後に伝送するのに利用されるチャンネルである終了チャンネル番号を含むことを特徴とする請求項１２に記載の測定装置。
【請求項１６】
前記複数個のチャンネルの状態情報は、
前記複数個のチャンネルのそれぞれを通じて受信されたテスト信号における信号対ノイズ比を計算することによって生成されることを特徴とする請求項１２に記載の測定装置。
【請求項１７】
前記複数個のチャンネルの状態情報は、
前記複数個のチャンネルのそれぞれの通信品質を数値的に表現し、前記数値的に表現されたそれぞれの通信品質に対する値を正規化した値を含むことを特徴とする請求項１２に記載の測定装置。
【請求項１８】
第１デバイスの複数の第２デバイスとの通信に使用する遊休チャンネルを選択する装置において、
前記第１デバイスと前記第２デバイスとの距離情報、前記第２デバイスの前記遊休チャンネルについての選好度情報及び前記第２デバイスが提供するアプリケーション情報のうち少なくとも一つに基づいて、前記複数個の遊休チャンネルのそれぞれに対する優先順位を設定する優先順位設定部と、
前記設定された優先順位に基づいて、前記複数個の遊休チャンネル中で前記第２デバイスらとの通信に使用する遊休チャンネルを選択するチャンネル選択部と、を備えることを特徴とする遊休チャンネル選択装置。
【請求項１９】
前記優先順位設定部は、
前記第１デバイスと前記第２デバイスとの距離情報、前記第２デバイスの前記遊休チャンネルについての選好度情報及び前記第２デバイスが提供するアプリケーション情報のうち少なくとも一つについての情報が保存されたデータベースに基づいて、前記優先順位を設定することを特徴とする請求項１８に記載の遊休チャンネル選択装置。
【請求項２０】
前記優先順位設定部は、
前記複数個の第２デバイスのうち、重要度の高いアプリケーションを提供する第２デバイスの選好度の高い遊休チャンネルの優先順位を高く設定することを特徴とする請求項１８に記載の遊休チャンネル選択装置。
【請求項２１】
前記優先順位設定部は、
前記複数個の第２デバイスのうち、前記第１デバイスから遠い距離に位置する第２デバイスの選好度の高い遊休チャンネルの優先順位を高く設定することを特徴とする請求項１８に記載の遊休チャンネル選択装置。
【請求項２２】
前記第２デバイスの前記遊休チャンネルについての選好度情報は、
前記第２デバイスが前記複数個の遊休チャンネルのそれぞれに対して測定した通信品質によって生成された、前記複数個の遊休チャンネルに対する優先順位に基づいて生成された情報であることを特徴とする請求項１８に記載の遊休チャンネル選択装置。
【請求項２３】
請求項１に記載の方法を実行させるためのプログラムが記録されたコンピュータで読み取り可能な記録媒体。
【請求項２４】
請求項７に記載の方法を実行させるためのプログラムが記録されたコンピュータで読み取り可能な記録媒体。
【発明の詳細な説明】
【技術分野】
【０００１】
本発明は、複数個のチャンネルの状態を測定する方法及びその装置、遊休チャンネルの選択方法及びその装置に関する。
【背景技術】
【０００２】
地域及び時間によって現在のチャンネルの状態を感知した後、知能的に判断し、適切な周波数、変調方式、出力を選択して、リアルタイムで遊休チャンネルを動的に移動しつつ通信する認知無線技術と関連した技術が、限定された周波数資源の活用という側面で活発に開発されている。
【０００３】
この遊休チャンネルの効率的な活用技術をＵＨＦ（Ｕｌｔｒａ  Ｈｉｇｈ  Ｆｒｅｑｕｅｎｃｙ）周波数帯域に導入するために、チャンネルを優先的に使用しうる権限を有する優先ユーザ（例えば、公衆波チャンネル）を速い時間内に検出し、優先ユーザではない装置の間では、優先ユーザが使用するチャンネルと異なるチャンネル、すなわち、遊休チャンネルを利用して通信を行う技術が重要な技術として注目されている。
【０００４】
図１は、従来のチャンネルの状態検索方法を説明するために示す図である。
【０００５】
ステップ１１０では、基地局が端末機にチャンネルの状態を検索することを命令するチャンネル状態検索命令を伝送する。
【０００６】
ステップ１２０では、端末機がチャンネル状態検索命令を受信したことを表す命令受信応答を基地局に伝送する。
【０００７】
このとき、基地局は、命令受信応答を受信できなければ、チャンネル状態検索命令を再び端末機に伝送する。
【０００８】
ステップ１３０では、端末機がチャンネル状態検索命令によって検索したチャンネルの状態を基地局に報告する。
【０００９】
ステップ１４０では、基地局が端末機からチャンネルの状態に対する報告を受信したことを表す報告受信応答を端末機に伝送する。
【００１０】
このとき、端末機は、報告受信応答を受信できなければ、基地局にチャンネルの状態を再び報告する。
【００１１】
このとき、基地局は、チャンネルの通信品質についての情報及びチャンネルが使用中であるか否かについての情報を報告される。
【００１２】
しかしながら、従来のチャンネル状態検索方法は、複数個のチャンネルの通信品質を測定する具体的な方法を提示しておらず、複数個の遊休チャンネルのうち基地局と端末機とが通信を行うための遊休チャンネルを選択するとき、端末機の位置及びアプリケーションに対して考慮しないという問題点がある。
【特許文献１】韓国特許公開第１０−１９９９−０００２８３８号
【発明の開示】
【発明が解決しようとする課題】
【００１３】
本発明の目的は、複数個のチャンネルの通信品質を測定する複数個のチャンネルの状態測定方法及びその装置を提供することである。また、本発明の目的は、複数個の遊休チャンネル中で基地局と端末機とが効率的に通信を行うための遊休チャンネルを選択できる遊休チャンネル選択方法及びその装置を提供することである。
【課題を解決するための手段】
【００１４】
前記目的を達成するための本発明による第１デバイスが第２デバイスとの通信に使われる複数個のチャンネルの状態を測定する方法は、前記複数個のチャンネルの状態測定に利用されるテスト信号の送受信に必要な情報であるテスト信号情報を第２デバイスに伝送するステップと、前記第２デバイスから前記テスト信号情報を受信したことを表す情報受信応答を受信するステップと、前記情報受信応答が受信されれば、前記テスト信号情報に基づいて、前記テスト信号を前記複数個のチャンネルを通じて前記第２デバイスに伝送するステップと、前記第２デバイスから前記テスト信号を利用して測定された前記複数個のチャンネルの状態情報を受信するステップと、を含む。
【００１５】
望ましくは、本発明による第１デバイスが第２デバイスとの通信に使われる複数個のチャンネルの状態を測定する方法は、全体チャンネル中で遊休チャンネルを検索するステップをさらに含み、前記複数個のチャンネルは、前記検索された遊休チャンネルであることを特徴とする。
【００１６】
望ましくは、本発明による第１デバイスが第２デバイスとの通信に使われる複数個のチャンネルの状態を測定する方法は、前記複数個のチャンネルに対する状態測定の開始を命令するチャンネル状態測定開始命令を前記第２デバイスに伝送するステップと、前記チャンネル状態測定開始命令を受信したことを表す開始命令受信応答を受信するステップと、をさらに含み、前記テスト信号情報を第２デバイスに伝送するステップは、前記開始命令受信応答が受信された場合に限って前記テスト信号情報を伝送することを特徴とする。
【００１７】
望ましくは、前記テスト信号情報は、所定のチャンネルで前記テスト信号を伝送した後、他のチャンネルで再び前記テスト信号を伝送するまでかかる時間であるテスト信号伝送周期、前記テスト信号を最初に伝送するのに利用されるチャンネルである開始チャンネル番号及び前記テスト信号を最後に伝送するのに利用されるチャンネルである終了チャンネル番号を含む。
【００１８】
望ましくは、前記複数個のチャンネルの状態情報は、前記複数個のチャンネルのそれぞれを通じて受信されたテスト信号における信号対ノイズ比を計算することによって生成されることを特徴とする。
【００１９】
望ましくは、前記複数個のチャンネルの状態情報は、前記複数個のチャンネルのそれぞれの通信品質を数値的に表現し、前記数値的に表現されたそれぞれの通信品質に対する値を正規化した値を含む。
【００２０】
また、前記目的を達成するための本発明による第１デバイスが複数個の第２デバイスとの通信に使用する遊休チャンネルを選択する方法は、前記第１デバイスと前記第２デバイスとの距離情報、前記第２デバイスの前記遊休チャンネルについての選好度情報及び前記第２デバイスが提供するアプリケーション情報のうち少なくとも一つに基づいて、前記複数個の遊休チャンネルのそれぞれに対する優先順位を設定するステップと、前記設定された優先順位に基づいて、前記複数個の遊休チャンネル中で前記第２デバイスとの通信に使用する遊休チャンネルを選択するステップと、を含む。
【００２１】
望ましくは、前記優先順位を設定するステップは、前記第１デバイスと前記第２デバイスとの距離情報、前記第２デバイスの前記遊休チャンネルについての選好度情報及び前記第２デバイスが提供するアプリケーション情報のうち少なくとも一つについての情報が保存されたデータベースに基づいて、前記優先順位を設定することを特徴とする。
【００２２】
望ましくは、前記優先順位を設定するステップは、前記複数個の第２デバイスのうち、重要度の高いアプリケーションを提供する第２デバイスの選好度の高い遊休チャンネルの優先順位を高く設定することを特徴とする。
【００２３】
望ましくは、前記優先順位を設定するステップは、前記複数個の第２デバイスのうち、前記第１デバイスから遠い距離に位置する第２デバイスの選好度の高い遊休チャンネルの優先順位を高く設定することを特徴とする。
【００２４】
望ましくは、前記第２デバイスの前記遊休チャンネルについての選好度情報は、前記第２デバイスが前記複数個の遊休チャンネルのそれぞれに対して測定した通信品質によって生成された前記複数個の遊休チャンネルに対する優先順位に基づいて生成された情報であることを特徴とする。
【００２５】
また、前記目的を達成するための本発明による第１デバイスの第２デバイスとの通信に使われる複数個のチャンネルの状態を測定する装置は、前記複数個のチャンネルの状態測定に利用されるテスト信号の送受信に必要な情報であるテスト信号情報を第２デバイスに伝送する伝送部と、前記第２デバイスから前記テスト信号情報を受信したことを表す情報受信応答を受信する受信部と、を備え、前記伝送部は、前記情報受信応答が受信されれば、前記テスト信号情報に基づいて、前記テスト信号を前記複数個のチャンネルを通じて前記第２デバイスに伝送し、前記受信部は、前記第２デバイスから前記テスト信号を利用して測定された前記複数個のチャンネルの状態情報を受信することを特徴とする。
【００２６】
望ましくは、本発明による第１デバイスの第２デバイスとの通信に使われる複数個のチャンネルの状態を測定する装置は、全体チャンネル中で遊休チャンネルを検索する遊休チャンネル検索部をさらに備え、前記複数個のチャンネルは、前記遊休チャンネル検索部によって検索された遊休チャンネルであることを特徴とする。
【００２７】
また、前記目的を達成するための本発明による第１デバイスの複数個の第２デバイスとの通信に使用する遊休チャンネルを選択する装置は、前記第１デバイスと前記第２デバイスとの距離情報、前記第２デバイスの前記遊休チャンネルについての選好度情報及び前記第２デバイスが提供するアプリケーション情報のうち少なくとも一つに基づいて、前記複数個の遊休チャンネルのそれぞれに対する優先順位を設定する優先順位設定部と、前記設定された優先順位に基づいて、前記複数個の遊休チャンネル中で前記第２デバイスとの通信に使用する遊休チャンネルを選択するチャンネル選択部と、を備える。
【００２８】
また、本発明は、複数個のチャンネルの状態測定に利用されるテスト信号の送受信に必要な情報であるテスト信号情報を第２デバイスに伝送するステップと、前記第２デバイスから前記テスト信号情報を受信したことを表す情報受信応答を受信するステップと、前記情報受信応答が受信されれば、前記テスト信号情報に基づいて、前記テスト信号を前記複数個のチャンネルを通じて前記第２デバイスに伝送するステップと、前記第２デバイスから前記テスト信号を利用して測定された前記複数個のチャンネルの状態情報を受信するステップと、を含む、第１デバイスが第２デバイスとの通信に使われる複数個のチャンネルの状態を測定する方法を実行させるためのプログラムが記録されたコンピュータで読み取り可能な記録媒体を提供する。
【００２９】
また、本発明は、第１デバイスと第２デバイスとの距離情報、第２デバイスの遊休チャンネルについての選好度情報及び第２デバイスが提供するアプリケーション情報のうち少なくとも一つに基づいて、複数個の遊休チャンネルのそれぞれに対する優先順位を設定するステップと、前記設定された優先順位に基づいて、前記複数個の遊休チャンネル中で前記第２デバイスとの通信に使用する遊休チャンネルを選択するステップと、を含む、第１デバイスが複数個の第２デバイスとの通信に使用する遊休チャンネルを選択する方法を実行させるためのプログラムが記録されたコンピュータで読み取り可能な記録媒体を提供する。
【発明の効果】
【００３０】
本発明は、複数個のチャンネルの状態測定に利用されるテスト信号の送受信に必要な情報であるテスト信号情報を第２デバイスに伝送し、第２デバイスからテスト信号情報を受信したことを表す情報受信応答を受信し、情報受信応答が受信されれば、テスト信号情報に基づいて、テスト信号を複数個のチャンネルを通じて第２デバイスに伝送した後、第２デバイスからテスト信号を利用して測定された複数個のチャンネルの状態情報を受信することによって、複数個のチャンネルの通信品質を測定しうる。
【００３１】
また、複数個の遊休チャンネル中で基地局と端末機とが通信を効率的に行うための遊休チャンネルを選択しうる。
【発明を実施するための最良の形態】
【００３２】
以下、添付された図面を参照して本発明の望ましい実施例について詳細に説明する。
【００３３】
図２は、本発明による複数個のチャンネルの状態測定方法の一実施例を説明するために示す図である。
【００３４】
ステップ２１０では、第１デバイスが複数個のチャンネルの状態測定に利用されるテスト信号の送受信に必要な情報であるテスト信号情報を第２デバイスに伝送する。
【００３５】
ここで、テスト信号情報は、所定のチャンネルで前記テスト信号を伝送した後、他のチャンネルで再び前記テスト信号を伝送するまでかかる時間であるテスト信号伝送周期、前記テスト信号を最初に伝送するのに利用されるチャンネルである開始チャンネル番号及び前記テスト信号を最後に伝送するのに利用されるチャンネルである終了チャンネル番号を含みうる。
【００３６】
但し、具現例によっては、ステップ２１０は、第１デバイスが複数個のチャンネルに対する状態測定の開始を命令するチャンネル状態測定開始命令を第２デバイスに伝送するステップと、第２デバイスからチャンネル状態測定開始命令を受信したことを表す開始命令受信応答を第１デバイスが受信するステップと、をさらに含みうる。
【００３７】
また、ここで、前記複数個のチャンネルは、複数個の遊休チャンネルであり、この場合には、ステップ２１０は、全体チャンネル中で遊休チャンネルを検索するステップをさらに含みうる。
【００３８】
すなわち、本発明は、ユーザによって決定された複数個のチャンネルに対するチャンネル状態を測定することもできるが、遊休チャンネルに対するチャンネル状態を測定することもできる。
【００３９】
一方、第１デバイスは、基地局またはセットトップボックスとなり、第２デバイスは、端末機となる形態で構成されることもある。このとき、端末機は、本発明による第１デバイスと通信が可能な全ての装置を称すものであって、例えば、ＤＴＶ、ＰＭＰ（ポータブル  マルチメディア  プレーヤ）、ＭＰ３プレイヤ、ノート型パソコン、携帯電話を何れも含む。
【００４０】
ステップ２２０では、第１デバイスは、第２デバイスからテスト信号情報を受信したことを表す情報受信応答を受信する。
【００４１】
ステップ２３０では、情報受信応答が受信されれば、テスト信号情報に基づいて、テスト信号を複数個のチャンネルを通じて第２デバイスに伝送する。
【００４２】
このとき、情報受信応答が受信されなければ、第１デバイスは、テスト信号を第２デバイスに伝送するものではなく、テスト信号情報を第２デバイスに伝送する。
【００４３】
ステップ２４０では、第２デバイスからテスト信号を利用して測定された複数個のチャンネルの状態情報を受信する。
【００４４】
このとき、複数個のチャンネルの状態情報は、第２デバイスが複数個のチャンネルのそれぞれを通じて受信したテスト信号で信号対ノイズ比を計算することによって生成される。
【００４５】
また、複数個のチャンネルの状態情報は、複数個のチャンネルのそれぞれの通信品質を数値的に表現し、数値的に表現されたそれぞれの通信品質に対する値を正規化した値で構成される。
【００４６】
図３は、本発明による複数個のチャンネルの状態測定装置の一実施例を説明するために示す図である。図３を参照するに、本発明による複数個のチャンネルの状態測定装置の第１デバイスは、伝送部３１２及び受信部３１４を備える。
【００４７】
伝送部３１２は、複数個のチャンネルの状態測定に利用されるテスト信号の送受信に必要な情報であるテスト信号情報を第２デバイス３２０に伝送する。
【００４８】
受信部３１４は、第２デバイス３２０からテスト信号情報を受信したことを表す情報受信応答を受信する。
【００４９】
このように、受信部３１４から情報受信応答が受信されれば、伝送部３１２は、テスト信号情報に基づいて、テスト信号を複数個のチャンネルを通じて第２デバイス３２０に伝送する。
【００５０】
最終的に、受信部３１４は、第２デバイス３２０からテスト信号を利用して測定された複数個のチャンネルの状態情報を受信する。
【００５１】
図４は、本発明によるチャンネルの状態情報の一実施例を示す図である。図４は、端末機１、端末機２及び端末機３が遊休チャンネル２３、２９、３７及び４１に対して通信品質を測定した結果を示す図である。図４を参照するに、それぞれのチャンネルの通信品質は、１ないし１０の値を利用して表示され、通信品質が最悪である場合を１で表示し、通信品質が最良である場合を１０で表示する。
【００５２】
一方、このように測定された通信品質の良否によって、それぞれの端末機別に選好するチャンネルについての情報を得ることもできる。
【００５３】
図５は、本発明によるチャンネルについての選好度情報の一実施例を示す図である。図５を参照するに、端末機１、端末機２及び端末機３のそれぞれが選好するチャンネルのリストが、選好程度によって順次に示されている。
【００５４】
例えば、端末機１が最も選好するチャンネルは、４１であり、最も選好しないチャンネルは、３７である。
【００５５】
このようなチャンネルに対する選好度は、図３に示したように、それぞれの端末機が複数個のチャンネルのそれぞれに対して測定した通信品質に基づいて生成される。
【００５６】
これまでは、複数個のチャンネルの状態を測定する方法について説明した。
【００５７】
以下では、前記チャンネルについての選好度情報を利用して、複数個の遊休チャンネルのうち一つを選択する方法について説明する。
【００５８】
図６は、本発明による遊休チャンネル選択装置の一実施例を説明するために示す図である。図６を参照するに、本発明による遊休チャンネル選択装置は、優先順位設定部６１０及びチャンネル選択部６２０を備える。
【００５９】
優先順位設定部６１０は、本発明による遊休チャンネル選択装置と端末機との距離情報、端末機の遊休チャンネルについての選好度情報及び端末機が提供するアプリケーション情報のうち少なくとも一つに基づいて、複数個の遊休チャンネルのそれぞれに対する優先順位を設定する。
【００６０】
このとき、端末機は、本発明による遊休チャンネル選択装置と通信が可能な全ての装置を称すものであって、例えば、ＤＴＶ、ＰＭＰ、ＭＰ３プレイヤ、ノート型パソコン、携帯電話を何れも含む。
【００６１】
また、優先順位設定部６１０は、遊休チャンネル選択装置と端末機との距離情報、端末機の遊休チャンネルについての選好度情報及び端末機が提供するアプリケーション情報が保存されたデータベースに基づいて、複数個の遊休チャンネルに対する優先順位を設定することもできる。
【００６２】
優先順位設定部６１０の動作については、図７を参照して具体的に説明する。
【００６３】
チャンネル選択部６２０は、優先順位設定部６１０で設定された優先順位に基づいて、複数個の遊休チャンネル中で端末機との通信に使用する遊休チャンネルを選択する。
【００６４】
すなわち、チャンネル選択部６２０は、優先順位設定部６１０の設定結果、最優先順位を有する遊休チャンネルを端末機との通信に使用する遊休チャンネルとして選択する。
【００６５】
但し、チャンネル選択部６２０は、最優先順位を有する遊休チャンネルが使用できない状況が発生すれば、その次の順位を有する遊休チャンネルを選択する。
【００６６】
以下では、図７を参照して遊休チャンネルに対する優先順位を設定する方法について説明する。
【００６７】
図７は、本発明による遊休チャンネルに対する優先順位設定方法を説明するために示す図である。図７には、遊休チャンネル選択装置７００及び遊休チャンネル選択装置７００と通信を行う端末機７１０，７２０，７３０が示されている。
【００６８】
このとき、それぞれの端末機７１０，７２０，７３０は、遊休チャンネル選択装置７００から所定の距離ほど離れた場所に位置しているが、端末機１は５ｍ、端末機２は７ｍ、端末機３は１０ｍほど遊休チャンネル選択装置７００から離れている。
【００６９】
このように、端末機が複数個である場合には、遊休チャンネル選択装置７００は、端末機７１０，７２０，７３０との通信に使用する遊休チャンネルを選択するとき、複数個の端末機７１０，７２０，７３０中で遊休チャンネル選択装置７００からさらに遠い距離に位置する端末機が選好する遊休チャンネルを優先的に考慮する。
【００７０】
例えば、図７では、端末機２  ７２０が遊休チャンネル選択装置７００から最も遠い位置に存在するので、遊休チャンネル選択装置７００は、端末機２  ７２０の遊休チャンネルに対する選好度を残りの端末機７１０，７３０の遊休チャンネルに対する選好度より優先的に考慮する。
【００７１】
すなわち、遊休チャンネル選択装置７００は、端末機２  ７２０の遊休チャンネルに対する選好度によって、端末機７１０，７２０，７３０との通信に使用する遊休チャンネルの優先順位を決定する。
【００７２】
図５を参照するに、端末機２の遊休チャンネルに対する優先順位は、チャンネル２９、チャンネル２３、チャンネル３７及びチャンネル４１の順に決定される。したがって、前記例では、遊休チャンネル選択装置７００は、チャンネル２９、チャンネル２３、チャンネル３７及びチャンネル４１の順に遊休チャンネルに対する優先順位を決定する。
【００７３】
一方、それぞれの端末機７１０，７２０，７３０は、それぞれ他の種類のアプリケーションを提供しうる。
【００７４】
このように、端末機が複数個である場合には、遊休チャンネル選択装置７００は、端末機７１０，７２０，７３０との通信に使用する遊休チャンネルを選択するとき、複数個の端末機７１０，７２０，７３０のうちでさらに重要度の高いアプリケーションを提供する端末機が選好する遊休チャンネルを優先的に考慮する。
【００７５】
このように、それぞれの端末機７１０，７２０，７３０が他の種類のアプリケーションを提供する場合には、端末機７１０，７２０，７３０のうちで重要度の高いアプリケーションを提供する端末機の遊休チャンネルに対する選好度の高い遊休チャンネルの優先順位を高く設定する。
【００７６】
例えば、端末機１は、ＨＤ（Ｈｉｇｈ  Ｄｅｆｉｎｉｔｉｏｎ）ＴＶであり、端末機２は、ＳＤ（Ｓｔａｎｄａｒａ  Ｄｅｆｉｎｉｔｉｏｎ）ＴＶであり、端末機３は、オーディオプレイヤでありうる。
【００７７】
この場合に、アプリケーションの重要度は、ＨＤ  ＴＶ、ＳＤ  ＴＶ及びオーディオプレイヤの順に決定される。もし、アプリケーションの重要度が前記のように決定された場合には、遊休チャンネル選択装置７００は、端末機１の遊休チャンネルに対する選好度によって、遊休チャンネル選択装置７００と端末機７１０，７２０，７３０との間に使用する遊休チャンネルの優先順位を決定する。
【００７８】
図５を参照するに、端末機１の遊休チャンネルに対する優先順位は、チャンネル４１、チャンネル２９、チャンネル２３及びチャンネル３７の順に決定される。したがって、前記例では、遊休チャンネル選択装置７００は、チャンネル２９、チャンネル２３、チャンネル３７及びチャンネル４１の順に遊休チャンネルに対する優先順位を決定する。
【００７９】
また、遊休チャンネルに対する優先順位を決定するとき、端末機間の距離情報及び端末機が提供するアプリケーション情報のうちでは、アプリケーション情報がさらに重要に考慮される。
【００８０】
例えば、図７で、端末機２  ７２０が端末機１  ７１０に比べて遊休チャンネル選択装置７００からさらに遠く離れていて、原則的には、遊休チャンネル選択装置７００という端末機２  ７２０の遊休チャンネルに対する選好度によって、端末機と通信に使用する遊休チャンネルとの優先順位を決定せねばならないが、もし、端末機１  ７１０で提供するアプリケーションが、端末機２  ７２０で提供するアプリケーションより重要度が高い場合には、遊休チャンネル選択装置７００は、端末機１  ７１０の遊休チャンネルに対する選好度によって、端末機と通信に使用する遊休チャンネルとの優先順位を決定する。
【００８１】
一方、前述した本発明の実施例は、コンピュータで実行されるプログラムで作成可能であり、コンピュータで読み取り可能な記録媒体を利用して、前記プログラムを動作させる汎用デジタルコンピュータで具現される。
【００８２】
前記コンピュータで読み取り可能な記録媒体は、マグネチック記録媒体（例えば、ＲＯＭ、フロッピー（登録商標）ディスク、ハードディスクなど）、光学的判読媒体（例えば、ＣＤ−ＲＯＭ、ＤＶＤなど）及びキャリアウェーブ（例えば、インターネットを通じた伝送）のような記録媒体を含む。
【００８３】
以上、本発明についてその望ましい実施例を中心に説明した。当業者は、本発明が本発明の本質的な特性から逸脱しない範囲で変形された形態で具現されるということが分かるであろう。したがって、開示された実施例は、限定的な観点ではなく、説明的な観点で考慮されねばならない。本発明の範囲は、前述した説明ではなく、特許請求の範囲に現れており、それと同等な範囲内にある全ての差異点は、本発明に含まれていると解釈されねばならない。
【産業上の利用可能性】
【００８４】
本発明は、記録媒体関連の技術分野に適用可能である。
【図面の簡単な説明】
【００８５】
【図１】従来のチャンネルの状態検索方法を説明するために示す図である。
【図２】本発明による複数個のチャンネルの状態測定方法の一実施例を説明するために示す図である。
【図３】本発明による複数個のチャンネルの状態測定装置の一実施例を説明するために示す図である。
【図４】本発明によるチャンネルの状態情報の一実施例を示す図である。
【図５】本発明によるチャンネルについての選好度情報の一実施例を示す図である。
【図６】本発明による遊休チャンネル選択装置の一実施例を説明するために示す図である。
【図７】本発明による遊休チャンネルに対する優先順位設定方法を説明するために示す図である。
【符号の説明】
【００８６】
３１０  第１デバイス
３１２  伝送部
３１４  受信部
３２０  第２デバイス
６１０  優先順位設定部
６２０  チャンネル選択部
７００  遊休チャンネル選択装置
７１０  端末機１
７２０  端末機２
７３０  端末機３
【図１】
2008295030.tif 000003
【図２】
2008295030.tif 000004
【図３】
2008295030.tif 000005
【図４】
2008295030.tif 000006
【図５】
2008295030.tif 000007
【図６】
2008295030.tif 000008
【図７】
2008295030.tif 000009